(57)【要約】フリップチップ電気結合は第１電気構成要素（２５０）と第２電気構成要素（２６０）との間に形成される。その結合はバンプ（２１０）及びパッド（２２０）を有する。バンプ（２１０）は第１電気構成要素（２５０）に電気的に結合している。パッド（２２０）は第２電気構成要素（２５０）に電気的に結合している。パッド（２２０）は、バンプ（２１０）の対応する結合表面（２１４）に電気的に結合し、それに比べて小さい寸法を有する。パッド（２２０）及びバンプ（２１０）は、超音波スタブバンプボンディング処理、導電性エポキシ等を用いて、共に電気的に結合されることが可能である。
2009542030.tif 000002
【特許請求の範囲】
【請求項１】
第１電気構成要素と第２電気構成要素との間のフリップチップ電気結合であって：
第１電気的結合表面及び第２電気的結合表面を有するバンプであって、前記バンプの前記第１結合表面は前記第１電気的構成要素に電気的に結合されている、バンプ；並びに
第１電気的接合表面及び第２電気的接合表面を有するパッドであって、前記パッドの前記第１接合表面は前記第２電気的構成要素に電気的に結合され、前記パッドの前記第２接合表面は前記バンプの前記第２電気的結合表面に比べて小さい寸法を有する、パッド；
を有するフリップチップ電気結合。
【請求項２】
請求項１に記載のフリップチップ電気結合であって、前記バンプはスタッド形状バンプである、フリップチップ電気結合。
【請求項３】
請求項１に記載のフリップチップ電気結合であって、前記バンプはボール形状バンプである、フリップチップ電気結合。
【請求項４】
請求項１に記載のフリップチップ電気結合であって、前記バンプは５０乃至１５０μｍの範囲内のバンプ高さを有する、フリップチップ電気結合。
【請求項５】
請求項１に記載のフリップチップ電気結合であって、前記バンプの前記第１結合表面は５０乃至１２０μｍの範囲内の直径を有する、フリップチップ電気結合。
【請求項６】
請求項１に記載のフリップチップ電気結合であって、前記パッドは１０乃至７０μｍの範囲内の直径を有する、フリップチップ電気結合。
【請求項７】
請求項１に記載のフリップチップ電気結合であって、前記第１電気構成要素は音響要素である、フリップチップ電気結合。
【請求項８】
請求項１に記載のフリップチップ電気結合であって、前記第２電気構成要素はＡＳＩＣである、フリップチップ電気結合。
【請求項９】
請求項８に記載のフリップチップ電気結合であって、前記ＡＳＩＣはパッドの下に位置する回路を有する、フリップチップ電気結合。
【請求項１０】
請求項１に記載のフリップチップ電気結合であって、前記結合は、１５０μｍ以下のピッチのアレイにおける複数の電気的結合の一の電気的結合である、フリップチップ電気結合。
【請求項１１】
第１電気構成要素と第２電気構成要素との間にフリップチップ電気結合を形成する方法であって：
前記第１電気構成要素にバンプ部分を結合する段階；
前記第２構成要素にパッド部分を結合する段階；並びに
前記バンプ部分を前記パッド部分に結合する段階であって、前記バンプに結合された前記パッド部分は、前記バンプ部分の対応する結合表面に比べて小さい面積である、段階；
を有する方法。
【請求項１２】
請求項１１に記載の方法であって、前記バンプ部分を形成する前記段階において、前記バンプ部分はスタッド形状のバンプ部分として形成される、方法。
【請求項１３】
請求項１１に記載の方法であって、前記バンプ部分を形成する前記段階は、５０乃至１５０μｍの範囲内のバンプを有し、前記第１電気的結合は５０乃至１２０μｍの範囲内の直径を有する、方法。
【請求項１４】
請求項１１に記載の方法であって、前記パッド部分を形成する前記段階において、前記パッド部分は１０乃至７０μｍの範囲内の直径を有する、方法。
【請求項１５】
請求項１１に記載の方法であって、前記バンプ部分を前記パッド部分に形成する前記段階は、低温且つ低ボンディング圧力の結合技術を用いて実行される、方法。
【請求項１６】
請求項１５に記載の方法であって、低温且つ低ボンディング圧力の結合技術は超音波スタブバンプボンディングである、方法。
【請求項１７】
請求項１１に記載の方法であって、前記フリップチップ電気結合は、１５０μｍ以下のピッチのアレイにおいて形成される複数の電気的結合の一の電気的結合である、方法。
【請求項１８】
請求項１１に記載の方法であって、前記バンプ部分を前記パッド部分に形成する前記段階は導電性エポキシ樹脂を用いて実行される、方法。
【発明の詳細な説明】
【技術分野】
【０００１】
本発明は、形成されたパッドの電気的接続によるフリップチップ型の電気的相互接続を用いる相互接続方法及び装置に関する。
【背景技術】
【０００２】
当該技術分野の集積回路（ＩＣ）は現在、継続的にサイズが縮小し、複雑度が高くなる状況にある。構成要素の密度が高くなるにつれ、電気的結合構成要素のシステムは、物理的な相互接続が、利用可能な表面領域において電気回路を位置付ける能力を低減させるこの領域の重要な部分を占める点で、重要になってきている。
【０００３】
電気的相互接続技術は、相互接続の一の部分がコンタクトバンプにより形成され、相互接続の他の部分がコンタクトパッドにより形成される。パッドは、電気的接続を形成する手段である。バンプはまた、電気的結合を形成する手段を提供するが、接続基板間の物理的分離を提供する実質的な高さも有する。代表的には、バンプはＡＳＩＣの表面に形成され、パッドは音響素子の最下部に位置付けられる。製造過程において、バンプ及びパッドは、電気的な相互接続を形成するように、互いに接触するようにする。米国特許第６，０１５，６５２号明細書において、基板に実装されるＩＣについての“フリップチップボンディング”と称される相互接続システムが開示されていて、この文献の援用により、本明細書の説明の一部を代替する。この代表的な相互接続システムは、他の電気的な相互接続システムに関連する課題の一部を軽減するが、更に、また電子構成要素のために利用可能である表面領域のかなりの部分を占める。この課題は、電気的相互接続が特定用途向け集積回路（ＡＳＩＣ）等の集積回路に直接形成されるときに、更に悪化する。
【０００４】
国際公開第２００４／０５２２０９号パンフレットにおいて、小型のトランスデューサを形成する目的で複数の音響素子にＡＳＩＣを電気的に結合するシステムについて開示されている。示されているシステムにおいては、バンプは、音響素子又はＡＳＩＣの一に電気的に結合され、パッドは、音響素子又はＡＳＩＣの他に電気的に結合されている。このシステムは、例えば、経食道検査、腹腔鏡検査及び心臓内検査のために用いられることが可能である超音波トランスデューサを作るために形成されることが可能である小型電装品に実現される。それにも拘らず、それらの製品は、音響素子の直下においてセル回路のピッチの適合を想定しているため、ピッチを更に減少させることが要請されている。現在の混合信号ＡＳＩＣ処理又は適切な動作のために必要な電圧は、音響素子及び制御回路の更なる低減について尚も制限を掛けている。例えば、１８５μｍのピッチのアレイにおいて位置付けられるスタッド形状のバンプを用いるフリップチップ相互接続システムについては、ＡＳＩＣの面積の約４０％が、それらのバンプのために、使用可能でない。バンプに対して電気的に相互接続しているパッド又は表面は、典型的には、そのバンプの接触表面に比べて、バンプと接触する表面を横断する横方向に、より大きくなっている。換言すれば、そのパッドと電気的に相互接続するバンプ表面は、パッドにおける対応する接触表面に比べて小さい。
【特許文献１】米国特許第６，０１５，６５２号明細書
【特許文献２】国際公開第２００４／０５２２０９号パンフレット
【発明の開示】
【発明が解決しようとする課題】
【０００５】
本発明の目的は、従来技術における短所を克服する、及び／又はそれらの短所を改善することである。本発明の目的は、例えば、典型的なＡＳＩＣ技術を用いて達成可能であるチップの製造技術を用いて、ピッチを減少させる方法を提供することである。
【課題を解決するための手段】
【０００６】
本発明に従って、フリップチップ電気結合は、第１電気構成要素と第２電気構成要素との間に形成される。その結合はバンプ及びパッドを有する。バンプは、第１電気構成要素に電気的に結合している。パッドは第２電気構成要素に電気的に結合している。パッドは、バンプの対応する結合表面に電気的に結合し、その結合表面より小さい寸法となっている。一実施形態においては、パッド及びバンプは、超音波スタブバンプボンディング処理を用いて電気的に結合されることが可能である。他の実施形態においては、パッド及びバンプは、導電性エポキシ樹脂を用いて、共に電気的に結合されることが可能である。
【０００７】
同じ又は他の実施形態においては、第１電気構成要素は音響要素であることが可能であり、及び／又は第２電気構成要素はＡＳＩＣであることが可能である。結合は、１５０μｍより小さいピッチのアレイで存在する複数の電気的結合の１つであることが可能である。
【０００８】
以下、図と関連付けて解釈されるときに、上記の特徴及び有利点並びに更なる特徴及び有利点を示す実施形態について説明する。以下の説明においては、限定的ではなく、説明目的で、特定のアーキテクチャ、インタフェース、技術等を例示として説明する。しかしながら、それらの特定の詳細から逸脱する実施形態が同時提出の特許請求の範囲内にあると更に理解できることを、当業者は理解することができるであろう。更に、明確化のために、本発明の説明を曖昧にしないように、既知の装置、回路及び方法の詳細説明は省略されている。
【０００９】
図は例示目的であり、本発明の範囲を示すものではないことが明確に理解される必要がある。添付図においては、同じ参照番号は、異なる図において類似する要素を表している。
【発明を実施するための最良の形態】
【００１０】
図２は、本発明の実施形態に従ったフリップチップ相互接続システム２００の断面図を示している。この実施形態においては、大きいアスペクト比のバンプ２１０が、製造中に、音響要素２５０のような電気的構成要素のデマッチング層表面２３０に電気的に結合されるスタッドバンプの形で示されている。バンプは、適切に適用されるボール形状、スタッド形状又は他の形状を含む何れかの形状にあることが可能である。音響要素は、超音波トランスデューサのアプリケーションで有用であるように、超音波エネルギー照射を生成する種類である。
【００１１】
図３は、本発明の実施形態に従って、図２に示す例示としてのフリップチップ相互接続システムの詳細な断面２９０を示している。バンプ２１０は、メッキ、機械加工、成形、電子リソグラフィ、ワイヤボンディング、又は適切に適用することが可能である何れかの他の製造処理等の何れかの製造処理を用いて、形成されることが可能である。一アプリケーションにおいては、バンプ２１０の高さは、５０乃至１５０μｍの範囲内の高さである、例えば、１００μｍであり、音響要素２５０と電気的に結合している接触表面２１４を有し、５０乃至１２０μｍの範囲内にある、例えば、７０μｍである直径を有することが可能である。バンプ２１０の高さは、接続する基板、例えば、音響要素２５０及びＡＳＩＣ２６０等の間の物理的分離の助けとなる。
【００１２】
本発明の実施形態に従って、ＩＣ、例えば、ＡＳＩＣ２６０は、パッド２２０の接触表面２２４を介してＡＳＩＣ２６０に電気的に接続される接触パッド２２０を有する。その電気結合は、接触パッド２２０とＡＳＩＣ２６０との間の電気的相互接続を与えるＡＳＩＣ２６０又は何れかの他のシステムの接触メタライゼーション層２６５を介して与えられることが可能である。一実施形態においては、パッド２２０は、１０乃至７０μｍの範囲内の、例えば、２０μｍの直径と、１乃至３０μｍの範囲内の、例えば、１５μｍの高さを有することが可能である。パッド２２０は、電解メッキ、スパッタリング、光学的堆積、又は適切に適用することが可能である他のシステムを含む何れかの形成処理及び／又は堆積処理により形成されることが可能である。一実施形態においては、パッド２２０は、低コストの冶金技術を用いて容易に得ることが可能である金の電解メッキを用いて容易に形成されることが可能である。
【００１３】
本発明に従って、パッド２２０は、バンプ２１０の接触表面に比較して小さい直径２２５を有するように形成される。例えば、接触表面２１５は、４０乃至８０μｍの範囲内にある、例えば、５０μｍである直径２１８を有することが可能である。ＡＳＩＣ２６０において比較的小さい直径のパッド２２０を形成することにより、ＡＳＩＣの表面面積のより大きい部分を、従来技術とは対照的に、回路について利用することが可能である。例えば、本発明の相互接続は、１５０μｍ以下の精細なピッチのアレイにおいて適切に適用されることが可能である。更なる実施形態においては、バンプ２１０の接触表面２１５とパッド２２０の接触表面２２８との間の電気的結合は、低温且つ低圧ボンディング技術、例えば、超音波スタブバンプボンディングを用いてもたらされることが可能である。この技術は、低圧力が結合表面（例えば、バンプ及びパッド）間で用いられるために、パッド２２０の下（例えば、ＡＳＩＣ２６０の最上部のメタライゼーション層２６５の下）のＡＳＩＣ２６０の領域が、回路について用いられ、従って、従来技術のシステムに比べて、より大きいＡＳＩＣの利用可能面積をもたらすことが可能である。他の実施形態においては、パッド２２０及びバンプ２１０は、導電性エポキシ樹脂を用いて、共に電気的に結合されることが可能である。
【００１４】
更に、例示としての実施形態においては、３つの音響要素２５０が３つの相互接続システム（例えば、バンプ２１０及びパッド２２０）と共に示されているが、多かれ少なかれ、所望のアプリケーションに依存して利用されることが可能であることが、容易に理解される必要がある。音響要素２５０は、三次元（３Ｄ）超音波撮影アプリケーション及び／又はマトリクストランスデューサ構成について利用可能であるように、３Ｄ撮影を容易にする構成を有する何れかの種類及び構成を有することが可能である。
【００１５】
勿論、上記の実施形態又は処理の何れかの一は、本発明に従った更なる改善を与えるように、１つ又はそれ以上の他の実施形態又は処理と組み合わされることが可能である。
【００１６】
最後に、上記の説明は、本発明の単なる例示であるように意図されている、何れかの特定の実施形態又は実施形態の群に対して同時提出の特許請求の範囲を限定するように意図されるべきものではない。それ故、本発明については、上で、特定の例示としての実施形態に関連付けて特に詳細に説明しているが、同時提出の特許請求の範囲に記載されている本発明の広く意図されている主旨及び範囲から逸脱することなく、当業者が案出することが可能であることを理解する必要がある。従って、本明細書及び添付図は、例示であるとみなされる必要があり、特許請求の範囲における範囲に限定されるように意図されているものである。
【００１７】
同時提出の特許請求の範囲の解釈において、以下について理解される必要がある。
ａ）用語“を有する”は、所定の請求項に挙げられている要素又は段階以外の要素又は段階を排除するものではない、
ｂ）要素の単数表現は、その要素の複数の存在を排除するものではない、
ｃ）複数の“手段”は、同様のアイテム、ハードウェア、又は構造又は機能を実施するソフトウェアにより表されることが可能であり、
ｄ）開示されている要素の何れかは、ハードウェア部分（例えば、別個の、集積電気回路を有する）、ソフトウェア部分（例えば、コンピュータプログラミング）及びそれらの組み合わせを有することが可能であり、
ｅ）ハードウェア部分は、アナログ部分及びディジタル部分の一又は両方を有することが可能であり、
ｆ）開示されている装置又はそれらの装置の一部のうちの何れかは、他に具体的に記載されていない限り、共に組み合わされることが可能であり、又は更なる部分に分離されることが可能であり、
ｇ）特定の一連の段階又はステップは、具体的に示されていない場合には、必要であるように意図されていない、
と理解する必要がある。
【図面の簡単な説明】
【００１８】
【図１】従来技術のフリップチップ相互接続システムを示す図である。
【図２】本発明の実施形態に従ったフリップチップ相互接続の断面図である。
【図３】本発明の実施形態に従った図２に示すフリップチップ相互接続システム２００の詳細な断面図である。
【図１】
2009542030.tif 000003
【図２】
2009542030.tif 000004
【図３】
2009542030.tif 000005
【国際調査報告】
2009542030.tif 000006
2009542030.tif 000007
2009542030.tif 000008